(57)【要約】【課題】表示部の発熱を放熱するための吸排気を妨げることなく、表示部を効率的に冷却すること。【解決手段】本発明は、側面に通気孔（３０）を有する表示部（２０）と、表示部（２０）の背面側に配置される本体部（１０）と、表示部（２０）の側面の一部を覆うように本体部（１０）に設けられたカバー部（１２）と、を具備し、カバー部（１２）は通気孔（３０）と対向する領域には設けられていない表示装置である。本発明によれば、カバー部（１２）が通気孔（３０）と対向する領域には設けられていないため、表示部（２０）の発熱を放熱するための吸排気を妨げることなく、表示部（２０）を効率的に冷却することができる。【選択図】図４
2008096774.tif 000002
【特許請求の範囲】
【請求項１】
側面に第１通気孔を有する表示部と、
前記表示部の背面側に配置される本体部と、
前記表示部の側面の一部を覆うように前記本体部に設けられたカバー部と、を具備し、
前記カバー部は前記第１通気孔と対向する領域には設けられていないことを特徴とする表示装置。
【請求項２】
使用状態において、前記表示部の前記第１通気孔は、前記カバー部の最も前面側の面より背面側に設けられていることを特徴とする請求項１記載の表示装置。
【請求項３】
前記第１通気孔は、前記表示部の上側および下側の側面に設けられていることを特徴とする請求項１または２記載の表示装置。
【請求項４】
前記表示部の上側および下側の側面に設けられた前記第１通気孔は上下に対向する位置に設けられていることを特徴とする請求項３記載の表示装置。
【請求項５】
前記表示部を前記本体部の前面から変位することにより、前記本体部の前面に設けられた前記本体部の本体操作部を操作することができることを特徴とする請求項１から４のいずれか一項記載の表示装置。
【請求項６】
前記本体部は、前記本体部の前記本体操作部を操作する状態で前記表示部の前記第１通気孔に対向する前記本体部の前面に第２通気孔を有することを特徴とする請求項５記載の表示装置。
【請求項７】
前記表示部が前記本体部の前面から変位するための案内部が前記カバー部の前記表示部の横側の側面に対応する部分に設けられ、
前記第１通気孔は前記表示部の上側または下側の側面に設けられていることを特徴とする請求項５記載の表示装置。
【請求項８】
前記表示装置は、共通の表示画面上の第１の画像および第２の画像をそれぞれ異なる方向から視認できるように表示することを特徴とする請求項１から７のいずれか一項記載の表示装置。
【発明の詳細な説明】
【技術分野】
【０００１】
本発明は、表示装置、特に表示部と前面に配置される表示部を傾斜可能に支持する本体部とを有する表示装置に関する。
【背景技術】
【０００２】
近年、例えば車両内にてカーナビゲーションやビデオ画像を見るための表示装置が急激に普及している。図１のように、車両に搭載される表示装置は運転席ＤＳと助手席ＡＳの間のダッシュボード部分に配置されることが多く、正面から見た大きさを定められた大きさとすることが求められている。一方で表示画面は大きくすることが求められている。そこで、特許文献１のように、表示部の背面に記憶媒体の再生部等を内蔵する本体部が設けられている。
【０００３】
図２を参照に、表示画面を視認する状態、つまり使用状態では、表示部２０の背面が本体部１０の前面を覆い、表示装置の表示部２０の表示画面２２の大きさを表示装置の前面４８からみた大きさとほぼ同じとする。表示部２０の操作は表示操作部２４を用いて行う。本体部１０には、表示部２０の背面側の側面を覆うようにカバー部１２が設けられている。図３を参照に、表示部２０を矢印のように傾動させることにより、表示部２０を本体部１０の前面１６から変移させ、前面１６を露出させることができる。本体部１０の前面１６には、本体操作部として例えばＣＤ（コンパクトディスク）／ＤＶＤ（デジタルバーサタイルディスク）用の挿排口１７、ＭＤ（ミニディスク）用挿排口１８、内蔵されたＨＤＤ（ハードディスクドライブ）用のコネクタ挿排口１９、メモリカード等の記憶媒体の操作やその他のスイッチ等を有する。この状態で、本体部１０の前面１６が露出しているため、これらの本体操作部を操作することができる。カバー部１２には表示部２０を傾動させるためのガイド溝１４が設けられている。
【特許文献１】特開２００４−１０３１６０号公報
【発明の開示】
【発明が解決しようとする課題】
【０００４】
カバー部１２は、前述のように表示部２０を移動させるためのガイド溝１４を設けるという機能を有する。あるいは、例えば表示部を車両に搭載する場合、図２を参照にカバー部１２の前面１３がダッシュボードの表面に一致するように搭載される。表示部２０の使用状態において、ダッシュボードからの突き出し量（図２の幅Ｌ）は小さいことが好ましい。本体部１０にカバー部１２を設け表示部２０をカバー部１２に内に収めることにより、幅Ｌを小さくすることができる。しかしながら、表示部２０の背面側に本体部１０が配置されているため、表示部２０を構成する光源や電子部品の発熱が表示部２０内にこもってしまうおそれがある。また、カバー部１２が表示部２０の発熱を放熱するための吸排気を妨げてしまう。
【０００５】
本発明は、上記に課題に鑑み、表示部の発熱を放熱するための吸排気を妨げることなく、表示部を効率的に冷却することが可能な表示装置を提供することを目的とする。
【課題を解決するための手段】
【０００６】
本発明は、側面に第１通気孔を有する表示部と、前記表示部の背面側に配置される本体部と、前記表示部の側面の一部を覆うように前記本体部に設けられたカバー部と、を具備し、前記カバー部は前記第１通気孔と対向する領域には設けられていないことを特徴とする表示装置である。本発明によれば、カバー部が第１通気孔を覆っていない。よって、第１通気孔を介して吸排気を行うことができ、表示部内の冷却を効率的行うことができる。
【０００７】
上記構成において、使用状態において、前記表示部の前記第１通気孔は、前記カバー部の最も前面側の面より背面側に設けられている構成とすることができる。この構成によれば、第１通気孔より前にカバー部の最も前面側の面を配置することにより、表示部のカバー部の最も前面側の面から露出する部分を小さくすることができる。
【０００８】
上記構成において、前記第１通気孔は、前記表示部の上側および下側の側面に設けられている構成とすることができる。この構成によれば、距離の短い上側の側面と下側の側面に第１通気孔を設けることにより、表示部内を効率的に冷却することができる。
【０００９】
上記構成において、前記表示部の上側および下側の側面に設けられた第１通気孔は上下に対向する位置に設けられている構成とすることができる。この構成によれば、最短距離で空気の吸排気を行い、さらに、自然対流により吸排気し易い。よって、表示部内をより効率的に冷却することができる。
【００１０】
上記構成において、前記表示部を前記本体部の前面から変位することにより、前記本体部の前面に設けられた前記本体部の本体操作部を操作することができる構成とすることができる。
【００１１】
上記構成において、前記本体部は、前記本体部の前記本体操作部を操作する状態で前記表示部の前記第１通気孔に対向する前記本体部の前面に第２通気孔を有する構成とすることができる。この構成によれば、第１通気孔が本体部の前面に対向した場合も、第２通気孔を介し、表示部内の吸排気を行うことができる。
【００１２】
上記構成において、前記表示部が前記本体部の前面から変位するための案内部が前記カバー部の前記表示部の横側の側面に対応する部分に設けられ、前記第１通気孔は前記表示部の上側または下側の側面に設けられている構成とすることができる。この構成によれば、案内部がカバー部の横側の側面に設け、第１通気孔を表示部の上側または下側の側面に設けることにより、第１通気孔を有効に配置することができる。
【００１３】
上記構成において、前記表示装置は、共通の表示画面上の第１の画像および第２の画像をそれぞれ異なる方向から視認できるように表示する構成とすることができる。この構成によれば、表示部の発熱が大きくなる表示装置において、表示部の冷却を有効に行うことができる。
【発明の効果】
【００１４】
本発明によれば、表示部の側面に設けられた通気孔に対応する部分にカバー部を設けないため、表示部の発熱を放熱するための吸排気を妨げることなく、表示部を効率的に冷却することが可能な表示装置を提供することができる。
【発明を実施するための最良の形態】
【００１５】
以下、本発明の実施例につき図面を参照に説明する。
【実施例１】
【００１６】
図４は実施例１に係る表示装置の斜視図である。表示部２０は上側の側面に通気孔３０（第１通気孔）を有している。本体部１０の通気孔３０に対向する部分にはカバー部１２が設けられていない。言い換えれば、カバー部１２は、通気孔３０に対向する部分に非被覆部３８を有している。同様に、表示部２０は下側の側面に通気孔（不図示）を有しており、カバー部１２は非被覆部（不図示）を有している。その他は図２および図３と同じであり説明を省略する。
【００１７】
図５は表示部２０を背面方向から見た斜視図である。表示部２０内の一部の部品および上側の通気孔３０は透視して記載している。表示部２０の上側の側面４２の背面４６側に通気孔３０、下側の側面４１の背面４６側に通気孔３２が複数設けられている。横側の側面４３、４４の上側かつ背面４６側にはガイド突部２９が設けられている。本体部１０に設けられた表示部２０の下部を支持するスライド機構（不図示）の移動と、ガイド突部２９が図３のガイド溝１４内をスライドすることにより、表示部２０が斜動することができる。表示部２０内には発熱量の大きいＤＣ／ＤＣコンバータ５４およびＩＣ５１（集積回路）が配置されている。背面４６の中央部には本体部１０と電気的に接続するためのフレキシブル基板５８が設けられている。
【００１８】
図６は表示部２０の断面図である。表示部２０の筐体２６には、下側の側面４１の背面４６側に通気孔３２が設けられ、上側の側面４２の背面４６側に通気孔３０が設けられている。表示部２０内の前面４８側には表示パネル２８が配置されている。表示パネル２８の前面４８側が表示画面２２となる表示部２０内の背面４６側には電子部品７２を実装した基板７４等が配置されている。
【００１９】
図７は表示パネル２８を示す模式図である。図７を参照に、表示パネル２８は、液晶パネル８１、液晶パネル８１の背面側から照明光を当てるバックライト８０、表示装置を操作する信号を入力するためのタッチパネル（不図示）等から構成されている。液晶パネル８１は、バックライト８０側から順に配置された、偏光板８２、ＴＦＴ（Thin Film Transistor）基板８３、液晶層８４、ＲＧＢの３原色の画素をもつカラーフィルタ基板８５、視差バリア８６、ガラス板８７、偏光板９０等から構成される。
【００２０】
液晶パネル８１は、例えば、水平方向に８００画素、垂直方向に４８０画素が配列された表示画面を有している。この表示画面には、水平方向において左側表示用画素８８と右側表示用画素８９とが交互に配列されて構成されている。視差バリア８６は、ストライプ状に形成されて遮蔽部と透光部とを有し、遮蔽部は隣接する左側表示用画素８８と右側表示用画素８９との間に配置される。視差バリア８６をカラーフィルタ基板８５の前面に配置することにより、左側表示用画素８８を透過した照明光は、左側に向かう照明光のみ選択的に視差バリア８６の透光部を通過し、右側表示用画素８９を透過した照明光は、右側に向かう照明光のみが選択的に視差バリア８６の透光部を通過する。これにより、液晶パネル８１の右側（運転席側）からは第１の画像ＩＭ１が視認でき、左側（助手席側）からは第２の画像ＩＭ２が視認できるようになっている。
【００２１】
実施例１においては、図４に示したように、カバー部１２は通気孔３０および３２（第１通気孔）と対向する領域には設けられていない。つまり、カバー部１２は通気孔３０、３２が露出される形状に形成されている。例えば、図４のように通気孔３０、３２と対向するカバー部１２の側面を切り欠き状に形成してもよく、また、通気孔３０、３２と対向する側にはカバー部１２を形成しなくてもよい。あるいは、表示部２０の通気孔３０、３２と対向するカバー部１２の側面には通気孔を形成しても良い。つまりは、表示部２０の熱が通気孔３０、３２等を介して外部に放散されるようにカバー部１２を形成すればよい。
【００２２】
表示部２０に通気孔を設ける場合、図６のように、表示部２０内の前面４８側には表示パネル２８が設けられる。通気孔３０、３２は、表示部２０の側面の図４の幅Ｌに相当する領域に設けても良いが。表示画面２２は、表示部２０の前面４８とほぼ同じ大きさとすることが好ましい。このため、表示部２０内の前面４８側は表示パネル２８でほとんど占有されてしまうので、通気孔３０または３２は、表示部２０の背面４６側に設けることが好ましい。また、通気孔３０、３２を側面の幅Ｌに相当する領域に設けた場合、例えば前述のように、幅Ｌを小さくしようとすると、通気孔３０，３２も小さくなり、十分に空気を吸排することができない。そのため、通気孔３０、３２は背面４６側に設けることが好ましい。そうすると、図２のようなカバー部１２の形状では、カバー部１２が表示部２０の通気孔３０、３２を覆ってしまうこととなる。実施例１においては、使用状態において、カバー部１２が通気孔３０を覆っていない。よって、通気孔３０または３２を介して吸排気を行うことができ、表示部２０内の冷却を効率的行うことができる。また、本体部１０の前面１６に本体部１０の通気孔が設けられている場合、非被覆部３８を介し、本体部１０の吸排気の効率も良くすることができる。
【００２３】
表示部２０の通気孔３０、３２は、表示部２０の側面４１、４２、４３または４４であれば、何処に設けられても良い。しかしながら、図４のように、使用状態において、表示部２０の通気孔３０または３２は、カバー部１２の最も前面側の面１５より背面側に設けられることが好ましい。このように、通気孔３０または３２より前にカバー部１２の最も前面側の面１５を配置することにより、図２の幅Ｌを小さくすることができる。
【００２４】
さらに、図５および図６のように通気孔３０および３２は、表示部２０の上側および下側の側面４２、４１に設けられることが好ましい。表示画面２２は横長であるため、上側の側面４２と下側の側面４１との距離は、横側の側面４３と４４との距離に比べ短くなり、表示部２０内を効率的に冷却することができる。
【００２５】
さらに、図５のように、表示部２０の上側の側面４２に設けられた通気孔３０と下側の側面４１に設けられた通気孔３２とは上下に対向する位置に設けられていることが好ましい。これにより、図５中の矢印のように、最短距離で空気の吸排気を行い、さらに、自然対流により吸排気し易い。よって、表示部２０内をより効率的に冷却することができる。
【００２６】
実施例１は、図３と同様に、表示部２０を本体部１０の前面１６から変位することにより、本体部１０の前面１６に設けられた本体操作部を操作することができる。そして、表示部２０が本体部１０の前面１６から変位するためのガイド溝１４（案内部）がカバー部１２の表示部２０の横側の側面（図５の側面４３、４４）に対応する部分に設けられている。このため、表示部２０の横側の側面４３、４４に対応する部分のカバー部１２に非被覆部３８を設けることができない。よって、通気孔は表示部２０の上側の側面４２または下側の側面４１に設けることが好ましい。
【００２７】
ＤＣ／ＤＣコンバータ５４やＩＣ５６等の発熱量の大きな電子部品は、図５のように、吸排気される空気の通過する場所に設けられることが好ましい。特に、通気孔３０または３２の近傍に設けられることが好ましい。こうすることで、発熱量の大きな電子部品を外気で直接冷却することができる。また、表示装置の製造時または使用時に、図５のフレキシブル基板５８が通気孔３０に接触し破損することを抑制するため、フレキシブル基板５８が接触する箇所（図５では中央部）には通気孔３０および３２を設けないことが好ましい。こうすることで、通気孔３０を通って侵入した異物がフレキシブル基板５８に付着してショートすることを防止できる。実施例１においては、吸排気のためのファンは設けていないが、ファンを設け強制的に吸排気することもできる。
【００２８】
実施例１と同様な構造で、カバー部１２に非被覆部３８を設けた場合は、設けない場合に比べ、表示部２０内の温度を４℃から５℃下げることができた。
【実施例２】
【００２９】
図８は実施例２に係る表示装置の本体部１０を前面から見た斜視図である。本体操作部は図示していない。図８を参照に、本体部１０の前面１６の下側に本体部の吸排気のための通気孔５０（第２通気孔）が設けられている。その他の構成は実施例１と同じである。図９は図８に本体部１０の本体操作部を操作する状態の表示部２０を追加して示した図である。表示部２０の通気孔３０を透視して図示している。図８と図９とを比較すると、本体部１０は、表示部２０の通気孔３０（第１通気孔）に対向する本体部１０の前面１６に通気孔５０（第２通気孔）を有する。これにより、通気孔３０が本体部１０の表面１６に対向した場合も、通気孔５０を介し、表示部２０内の吸排気を行うことができる。また、本体部１０の吸排気も通気孔３０、３２を介して行うことができる。なお、本体部１０にファンを設けることで流入流量を多くすることができ、より一層放熱性を向上させることができる。
【００３０】
実施例１および実施例２に係る表示装置は、図７で説明したように、共通の表示画面上の第１の画像ＩＭ１および第２の画像ＩＭ２をそれぞれ異なる方向から視認できるように表示することができるマルチビューディスプレイである。マルチビューディスプレイは、第１の画像ＩＭ１および第２の画像ＩＭ２それぞれの輝度を高めるため、表示部２０の発熱が大きくなる。よって、本発明を適用することがより効果的である。当然のことながら、マルチビューディスプレイ以外の表示装置に本発明を適用することもできる。また、車載用表示装置以外の表示装置に本発明を適用することもできる。また、実施例１では、通気孔３０，３２を形成したが、放熱面積を増やすため凸凹部を形成するようにしてもよい。この場合、凸凹部が露出されるように、カバー部１２の対向する領域に切り欠き等を形成すれば良い。
【００３１】
本発明の実施例について詳述したが、本発明は係る特定の実施例に限定されるものではなく、特許請求の範囲に記載された本発明の要旨の範囲内において、種々の変形・変更が可能である。
【図面の簡単な説明】
【００３２】
【図１】図１は表示装置が車両に搭載される例である。
【図２】図２は従来の表示装置の斜視図（その１）である。
【図３】図３は従来の表示装置の斜視図（その２）である。
【図４】図４は実施例１に係るの表示装置の斜視図である。
【図５】図５は実施例１に係るの表示装置の表示部の斜視図である。
【図６】図６は実施例１に係るの表示装置の表示部の断面図である。
【図７】図７は実施例１に係るの表示装置の表示パネルの断面模式図である。
【図８】図８は実施例２に係るの表示装置の本体部の斜視図である。
【図９】図９は実施例２に係るの表示装置の斜視図である。
【符号の説明】
【００３３】
１０                本体部
１２                カバー部
１４                ガイド溝
１５                カバー部の最も前面側の面
１６                本体部の前面
２０                表示部
２２                表示画面
２４                表面操作部
２８                表示パネル
３０、３２          通気孔（第１通気孔）
３８                非被覆部
４１                表示部の下側の側面
４２                表示部の上側の側面
４３、４４          表示部の横側の側面
４６                表示部の前面
４８                表示部の背面
５０                本体部の通気孔（第２通気孔）
【図１】
2008096774.tif 000003
【図２】
2008096774.tif 000004
【図３】
2008096774.tif 000005
【図４】
2008096774.tif 000006
【図５】
2008096774.tif 000007
【図６】
2008096774.tif 000008
【図７】
2008096774.tif 000009
【図８】
2008096774.tif 000010
【図９】
2008096774.tif 000011